(57)【要約】      （修正有）【課題】使用者の状態の視認性を維持しつつ、使用者の体を簡単に保護することができるベッドの側柵の保護部材を提供する。【解決手段】枠部１１０と枠部の内側に互いに隙間を空けて配置された複数のパイプ部１２０とを有する側柵１００を備えたベッドに横たわる使用者の体を保護する保護部材１０であり、保護部材は、各パイプ部１２０の周面部を覆うように、各パイプ部に着脱自在に装着するカバー部２０と、使用者が接触したときに使用者の体を保護するように、カバー部に設けられた保護部３０とを備える。さらに、カバー部がパイプ部の周りを回転しないように、カバー部から延材し、枠部に着脱自在に装着する回転防止部５０を備える。【選択図】図１
0003209997.tif 000002
【実用新案登録請求の範囲】
【請求項１】
枠部と前記枠部の内側に互いに隙間を空けて配置された複数のパイプ部とを有する側柵を備えたベッドに横たわる使用者の体を保護する保護部材であって、
前記複数のパイプ部のいずれかのパイプ部の周面部を覆うように、前記いずれかのパイプ部に着脱自在に装着するカバー部と、
前記使用者が接触したときに前記使用者の体を保護するように、前記カバー部に設けられた保護部とを備える、保護部材。
【請求項２】
さらに、前記カバー部が前記いずれかのパイプ部の周りを回転しないように、前記カバー部から延材し、前記枠部に着脱自在に装着する回転防止部を備える、請求項１に記載の保護部材。
【請求項３】
前記カバー部は、前記保護部が形成されたシート部材と、前記シート部材の両端に設けられたファスナ部とを有する、請求項２に記載の保護部材。
【請求項４】
前記回転防止部は、前記カバー部の前記ファスナ部とは反対側の端部から延在する２つのベルト状部材と、前記ベルト状部材の端部が着脱自在に装着するように、前記カバー部の前記ファスナ部がある側の端部に形成されたベルト着脱部とを有する、請求項３に記載の保護部材。
【請求項５】
枠部と枠部の内側に互いに隙間を空けて配置された複数のパイプ部とを有する側柵と、
それぞれが請求項１から４のいずれかに記載の複数の保護部材と、
を備えた保護部材付きベッドであって、
前記複数の保護部材のそれぞれの前記保護部が前記ベッドの内側に向くように、前記複数の保護部材が、それぞれ、前記複数のパイプ部に取り付けられた、保護部材付きベッド。
【請求項６】
前記保護部は、前記カバー部と前記いずれかのパイプ部の表面との間に配置されている、請求項５に記載の保護部材付きベッド。
【考案の詳細な説明】
【技術分野】
【０００１】
本考案は、枠部の内側に互いに隙間を空けて配置された複数のパイプ部を有する側柵を備えたベッドに横たわる使用者の体を保護する保護部材及び保護部材付きベッドに関する。
【背景技術】
【０００２】
病院等において、「転倒」、「転落」は、「薬剤」、「ライン類の抜去」に次いで多く、インシデント、アクシデント件数の全体の１７％（平成１９年度集計）を占めているとしている（非特許文献１、１ページ「はじめに」参照）。
【０００３】
そして、小児の転倒、転落事故の場合は、成長、発達に伴う行動によって起こることが多い。例えば、年齢として新生児から６か月までの間の乳幼児の起こりやすい転倒、転落事故は、乳幼児が寝返りをうつことにより、下ろした状態の乳幼児用ベッド（サークルベッド）の側柵の上部を越えて、乳幼児用ベッドから転落することが挙げられている（非特許文献１、１３ページ「（５）小児の転倒・転落事故防止」参照）。つまり、乳幼児（使用者）は、高い頻度で寝返りをうつことが予見され、寝返りの際に上げた状態の側柵に当たる可能性がある。
【０００４】
また、ベッド内で立っている幼児（使用者）が転倒し、その勢いで上げた状態の側柵に当たり、打撲する可能性がある。
【０００５】
また、幼児や大人である使用者が勢いよく寝返りをすること等により、側柵に当たるおそれもある。
【０００６】
ところで、側柵は、矩形状の枠部と、枠部の内側に互いに隙間を空けて配置された複数のパイプ部とを有する。このため、隣接するパイプ部の間には隙間がある。医師、看護師、家族は、その隣接するパイプ部の隙間から覗くことにより、乳幼児用ベッドにいる小児の状態を監視することがある。
【０００７】
他方、ベッド上に横たわる使用者の体を保護するベッド柵の保護部材は、ベッド柵に着脱自在に装着可能であり使用者が接触したときにこの使用者の体を保護する保護部を備える技術が知られている（特許文献１参照）。このようなベッド柵の保護部材を、乳幼児用ベッドに転用することも考えられる。
【先行技術文献】
【特許文献】
【０００８】
【特許文献１】特開２００５−１３７４６１号公報
【非特許文献】
【０００９】
【非特許文献１】東京都病院経営本部、“転倒・転落防止対策マニュアル（予防から対応まで）”、［ｏｎｌｉｎｅ］、［平成２９年１月１４日検索］、インターネット＜ＵＲＬ：ｈｔｔｐ：／／ｗｗｗ．ｂｙｏｕｉｎ．ｍｅｔｒｏ．ｔｏｋｙｏ．ｊｐ／ｈｏｋｏｋｕ／ａｎｚｅｎ／ｄｏｃｕｍｅｎｔｓ／ｊｉｋｏｙｏｂｏ０８００．ｐｄｆ＞
【考案の概要】
【考案が解決しようとする課題】
【００１０】
しかしながら、特許文献１に記載のベッド柵の保護部材を、乳幼児用ベッドに転用すると、カバーが隣接する縦パイプの間にある隙間を塞ぐことになるので、医師、看護師、家族は、その隣接する縦パイプの隙間から覗きにくくなるという課題がある。
側柵を下げるとき、スライド式になるベッドにおいて、従来の側柵のカバーを取り付けた状態では、側柵を下げることが困難になることがあるという課題がある。
本考案の目的は、使用者の状態の視認性を維持しつつ、使用者の体を簡単に保護することができ、さらに、側柵を下げることができるベッドの側柵の保護部材を提供することである。
【課題を解決するための手段】
【００１１】
考案者は、鋭意研究を行った結果、以下の考案にいたった。
本考案に係る保護部材は、枠部と前記枠部の内側に互いに隙間を空けて配置された複数のパイプ部とを有する側柵を備えたベッドに横たわる使用者の体を保護する保護部材であって、前記複数のパイプ部のいずれかのパイプ部の周面部を覆うように、前記いずれかのパイプ部に着脱自在に装着するカバー部と、前記使用者が接触したときに前記使用者の体を保護するように、前記カバー部に設けられた保護部とを備えることを特徴とする。
【００１２】
本考案の保護部材において、さらに、前記カバー部が前記いずれかのパイプ部の周りを回転しないように、前記カバー部から延材し、前記枠部に着脱自在に装着する回転防止部を備えることを特徴とする。
保護部材はパイプ部の周りを回転しないので、使用者（例えば、乳幼児）が触って、保護部材を取り外しやすい位置まで回転させて、取り外すことができないようにしている。
また、保護部材を布地にすることで、布地の絵柄を乳幼児に見合った絵柄にすることができ、また、布地は、触れた感触もソフトであり、慰安にもつながる。
【００１３】
本考案の保護部材において、前記カバー部は、前記保護部が形成されたシート部材と、前記シート部材の両端に設けられたファスナ部とを有することを特徴とする。
【００１４】
本考案の保護部材において、前記回転防止部は、前記カバー部の前記ファスナ部とは反対側の端部から延在する２つのベルト状部材と、前記ベルト状部材の端部が着脱自在に装着するように、前記カバー部の前記ファスナ部がある側の端部に形成されたベルト着脱部とを有することを特徴とする。
【００１５】
本考案に係る保護部材付きベッドは、枠部と枠部の内側に互いに隙間を空けて配置された複数のパイプ部とを有する側柵と、それぞれが上記いずれかに記載の複数の保護部材と、を備えた保護部材付きベッドであって、前記複数の保護部材のそれぞれの前記保護部が前記ベッドの内側に向くように、前記複数の保護部材が、それぞれ、前記複数のパイプ部に取り付けられたことを特徴とする。
【００１６】
本考案の保護部材付きベッドにおいて、前記保護部は、前記カバー部と前記いずれかのパイプ部の表面との間に配置されていることを特徴とする。
【考案の効果】
【００１７】
本考案によれば、保護部材は、複数のパイプ部のいずれかのパイプ部の周面部を覆うように、いずれかのパイプ部に着脱自在に装着するカバー部と、使用者が接触したときに使用者の体を保護するように、カバー部に設けられた保護部とを備えるので、複数の保護部材を、それぞれ、ベッドの側柵の複数のパイプ部に設けることができる。このため、使用者の状態の視認性を維持しつつ、使用者の体を簡単に保護することができるベッドの側柵の保護部材を提供することができる。
【図面の簡単な説明】
【００１８】
【図１】本考案に係る保護部材をベッドの枠部のパイプ部に取り付けた状態を説明する正面図である。
【図２】図１のＩＩ−ＩＩ断面図である。
【図３】図１のＩＩＩ−ＩＩＩ断面図である。
【図４】図１に示した保護部材を用いたベッドの斜視図である。
【考案を実施するための形態】
【００１９】
以下、図面を参照して本発明を実施するための形態について詳細に説明する。
図１は、本考案に係る保護部材をベッドの枠部のパイプ部に取り付けた状態を説明する正面図である。図２は、図１のＩＩ−ＩＩ断面図である。図３は、図１のＩＩＩ−ＩＩＩ断面図である。図４は、図１に示した保護部材を用いたベッドの斜視図である。
図１から図４を参照して、本考案に係る保護部材及びベッドについて説明する。
【００２０】
（ベッド）
図４に示すように、ベッド２００は、例えば、いわゆるサークルベッドであり、ベッド本体２２０と、ベッド本体２２０を囲む複数の側柵１００とを備える。
【００２１】
図１に示すように、各側柵１００は、略矩形状の枠部１１０と、枠部１１０の内側に互いに隙間を空けて配置された複数のパイプ部１２０とを含む。枠部１１０は、上側枠部分、下側枠部分及び一対の横側枠部分を有し、一対の横側枠部分の両端は、それぞれ、上側枠部分及び下側枠部分に接続している。接続している部分は、例えば、丸み形状となっている。
【００２２】
図４に示すように、複数の側柵１００のうちの１つの側柵１００は、他の側柵１００に対して上下動する可動側柵である。上下動する可動側柵は、上側の枠部１１０と下側の枠部１１０との間の距離が伸縮する機能を有するいわゆるスライダー形式と、上側の枠部１１０と下側の枠部１１０との間の距離が伸縮しないいわゆる非スライダー形式とがある。
各側柵１００の下側枠部分は、ベッド本体２２０の上面より下側に位置している。下側に移動した可動側柵の上側枠部分は、ベッド本体２２０の上面より上側に位置している。
【００２３】
図１に示すように、複数のパイプ部１２０は、上下方向に伸びるように、互いに平行に配置されている。
【００２４】
枠部１１０は、例えば、ステンレスやアルミのような金属パイプで形成されている。また、各パイプ部１２０は、例えば、ステンレスやアルミのような金属パイプで形成されている。
【００２５】
（保護部材）
保護部材１０は、ベッド２００のベッド本体２２０に横たわる使用者の体を保護する部材である。
図１及び図２に示すように、保護部材１０は、カバー部２０と保護部３０とを備える。保護部材１０は、さらに、回転防止部５０を備えることが好ましい。
複数の保護部材１０は、それぞれ、複数のパイプ部１２０に取り付けられる。保護部材１０は、すべてのパイプ部１２０に取り付けることが好ましいが、特定の範囲のみに取り付けてもよい。
保護部材１０は、隣接する２つのパイプ部１２０の間の隙間を殆ど埋めないので、その隙間からベッド本体２２０に横たわる使用者の状態を容易に視認することができる。
【００２６】
（カバー部）
カバー部２０は、複数のパイプ部１２０のいずれかのパイプ部１２０の周面部を覆う部材である。換言すると、各カバー部２０は、各パイプ部１２０の周面部を覆うように、各パイプ部１２０に着脱自在に装着している。
カバー部２０は、保護部３０が形成されたシート部材２２と、シート部材２２の両端に設けられたファスナ部２４とを有することが好ましい。
【００２７】
カバー部２０、シート部材２２、保護部材１０は、考案の概念としては、別の構成として規定しているが、カバー部２０を実際に製造する形態（実施の形態）としては、例えば、２０ｃｍ×６５〜６８ｃｍの長方形の布地（縫い代含まず）を筒状に縫い、その間にフリース（図２の保護部３０に相当する）を使用者の体に接するであろう部分（筒状の円周の三分の一程度）に挟んだ構造とすることができる。換言すると、実際にカバー部２０を製造する際には、シート部材２２と保護部材１０とを同じ材料で作ることができる。また、一枚布を筒状に縫うのではなく、表布地と裏布地と分けた生地を縫製することもできる。
【００２８】
シート部材２２は、縦長の長方形を有している表布地２２ａと裏布地２２ｂとで構成されている。長辺の長さは、パイプ部１２０の長さと略同じかそれよりも少し短い長さである。具体的には、シート部材２２の長辺の長さは、シート部材２２の長辺方向の上側端部（図１の紙面において上側端部）が上側枠部分の近傍に位置し、また、下側端部がベッド本体２２０の上面より下側に位置するような長さである。このため、上下に動く可動側柵が上端に位置しても、シート部材２２の下側端部が枠部１１０の下側枠部の近傍のパイプ部１２０を覆っていることになり、ひいては、ベッド本体２２０の上面より上側のパイプ部１２０は、シート部材２２で覆われていることになる。
また、可動側柵が下端に位置しても、シート部材２２の上側端部が枠部１１０の上側枠部の近傍のパイプ部１２０を覆っていることになり、ひいては、ベッド本体２２０の上面より上側のパイプ部１２０は、シート部材２２で覆われていることになる。
【００２９】
シート部材２２の短辺の長さは、ファスナ部２４を閉じた状態で、シート部材２２がパイプ部１２０の円周側面を覆うことができる長さである。
【００３０】
シート部材２２は、例えば、布地で形成されている。布地は、衛生性を維持でき、洗濯したり、消毒をしたりすることができる綿等の布地であることが好ましい。
また、保護部材１０のシート部材２２を布地にすることで、布地の絵柄を使用者（乳幼児）に見合った絵柄にすることができ、また、布地は、触れた感触もソフトであり、慰安にもつながる。
【００３１】
図２に示すように、保護部３０は、シート部材２２の表布地２２ａと裏布地２２ｂとの間に設けられている。保護部３０は、シート部材２２のうち、ベッド本体２２０に横たわっている使用者（例えば、乳幼児）が触れることができると想定される範囲（パイプ部１２０のベッド本体１２０側（内側）の範囲）の表布地２２ａと裏布地２２ｂとの間に設けられることが好ましい。保護部材１０の全体にフリースを挟まず、使用者の体が触れるであろう部分にすることで、保護部材１０が過度に厚くならず、柵がスライドするのを妨げることがほとんどなくスムーズに柵をさげることができる。このようにすることで、パイプ部１２０を過度に厚くならないので、側柵１００を、スムーズに下げることができる。したがって、本考案は、このような、側柵を上下動させることができる可動側柵を有するスライド式のベッドに好適である。
【００３２】
保護部３０は、例えば、低反発材料、スポンジ、フリースのようなクッション材料であり、縦長の長方形を有している。保護部３０は、フリース等を用いたクッション素材が好ましい。
保護部３０の長辺の長さは、シート部材２２の長辺と略同じ長さである。保護部３０の短辺の長さは、シート部材２２の短辺の長さと同じかそれよりも短い。保護部３０の短辺の長さは、使用者の体に触れるであろう部分を覆うことができる長さであれば良く、例えば、パイプ部１２０の円周側面（表面）で円周の三分の一程度あればよい。すなわち、保護部３０は、少なくともパイプ部１２０のベッド本体２２０側（内側）を覆うように配置されていればよいが、パイプ部１２０の円周側面（表面）の少なくとも内側半分を覆うように配置されていることが好ましい。
【００３３】
ファスナ部２４は、シート部材２２の両長辺に設けられている。ファスナ部２４を、すべて面ファスナ２４ｂで構成したり、すべて線ファスナ２４ａで構成したりすることができるが、線ファスナ２４ａと、線ファスナ２４ａの下側に設けられた面ファスナ２４ｂとを含む構成であることが好ましい。
【００３４】
線ファスナ２４ａは、線上に並んだ務歯が噛み合うことで両側を固定するもので、左右のテープが、それぞれ、シート部材２２の左右の長辺の部分に取り付けられており、スライダーを下側端部に下ろすことで、左右のテープを離すことができる開製品のタイプのファスナである。
【００３５】
面ファスナ２４ｂは、面的に着脱できるファスナであり、例えば、フック状に起毛された側とループ状に密集して起毛された側とを押し付けるとそれだけで貼り付くようになっており、貼り付けたり剥がしたりすることが自在にできるものである。
これにより、ファスナ部２４を閉じることにより、側柵１００のパイプ部１２０にシート部材２２を巻き付けることができる。
【００３６】
ファスナ部２４が、パイプ部１２０のベッド本体１２０とは反対側（外側）に位置していても、使用者（例えば、乳幼児）の手が、ファスナ部２４に届いて、ファスナ部２４を開けてしまうおそれがある。そこで、ファスナ部２４は、使用者（例えば、乳幼児）の手が届くと想定される範囲を線ファスナ２４ａとし、閉じた際の線ファスナ２４ａのスライダーの位置を使用者の手が届かない範囲とすることで、使用者が容易にファスナ部２４を空けてしまうことを防止することができる。
【００３７】
ベッド２００がスライダー形式の場合、側柵１００の上下方向の寸法が、５０ｃｍから６０ｃｍまでの範囲であれば、ファスナ部２４は、線ファスナ２４ａのみとすることが好ましい。
【００３８】
また、ファスナ部２４の線ファスナ２４ａは、既製品のファスナを用いることができる。既製品のファスナの長さは、５０ｃｍ、６０ｃｍ、８０ｃｍのものが多く、特に、５０ｃｍのものが安価であるので、ファスナ部２４の線ファスナ２４ａとしては、長さが５０ｃｍの既製品のファスナを用いることが好ましい。このとき、閉じた際の線ファスナ２４ａのスライダーの位置が、使用者の手が届く範囲となる場合には、線ファスナ２４ａの下側に面ファスナ２４ｂを設けることが好ましい。
【００３９】
また、線ファスナ２４ａとして用いる既製品のファスナは、側柵１００を上下動させる場合において、巻き付いているシート部材２２の位置や向きを微調整しないと下ろせない場合があるが、線ファスナ２４ａのしなやかさが十分でないと、作業性が悪く、場合によっては下ろすことができない場合がある。そこで、線ファスナ２４ａの下側に面ファスナ２４ｂを設けることにより、線ファスナ２４ａの長さを、しなやかさが十分に発揮する程度の長さにするとともに、足りない部分を面ファスナ部２４ｂとすることが好ましい。
【００４０】
ファスナ部２４は、引手をスライドさせることにより、保護部材１０が側柵１００に装着される。装着の際の引手は、上から下にスライドさせるようにしてもよいし、下から上にスライドさせるようにしてもよい。
【００４１】
これにより、ベッド本体２２０で寝返りをしたり転倒したりした使用者の体は、ベッド本体２２０上で勢いよくパイプ部１２０に強く接触しようとしても、使用者の体とパイプ部１２０との間に保護部材１０ひいては保護部３０があるので、使用者が、例えば、打撲のような怪我をすることを抑止することができる。
なお、保護部材１０は、８０ｇ程度の重さであり、枠部１１０には、概ね、保護部材１０を１８本取り付けることができる。すなわち、枠部１１０には、８０ｇ×１８本≒１．５ｋｇの重さが作用する。
【００４２】
（回転防止部）
図１及び図３に示すように、回転防止部５０は、カバー部２０がパイプ部１２０の周りを回転しないように、カバー部２０の上側端部から延材し、枠部１１０に着脱自在に装着する部材である。
【００４３】
カバー部２０は、円柱形状のパイプ部１２０に巻き付けられているので、保護部３０がパイプ部１２０のベッド本体２２０側（内側）に向くように、カバー部２０をパイプ部１２０に取り付けたとしても、カバー部２０がパイプ部１２０の周りを回転することにより、保護部３０がパイプ部１２０のベッド本体２２０側（内側）に向いていない状態（外側に向いた状態）になり、ベッド本体２２０で寝返りをしたり転倒したりした使用者の体が保護部３０を介さないで、パイプ部１２０に強く接触し、例えば、打撲のような怪我をするおそれがある。
そこで、回転防止部５０がカバー部２０の上側端部から延材し、枠部１１０に着脱自在に装着することにより、カバー部２０がパイプ部１２０の周りを回転することを防止する。
このように、保護部材１０はパイプ部１２０の周りを回転しないので、使用者（例えば、乳幼児）が触って、保護部材１０を取り外しやすい位置まで回転させて、取り外すことができないようにしている。
【００４４】
回転防止部５０は、カバー部２０のファスナ部２４とは反対側の端部から延在する２つのベルト状部材５２、５４と、ベルト状部材５２、５４の端部が着脱自在に装着するように、カバー部２０のファスナ部２４がある側の端部に形成されたベルト着脱部とを有する。
回転防止部５０は、カバー部２０の上側端部で、ベッド本体２２０側（内側）に隣接した位置から、２つのベルト状部材５２、５４が延在し、枠部１１０をＵの字状に巻いて、カバー部２０の上側端部で、ベッド本体２２０側とは反対側（外側）に形成されたベルト着脱部に伸びている。２つのベルト状部材５２、５４の端部と、ベルト着脱部とには、例えば、取り外し可能な、面ファスナが形成されている。このため、保護部材１０をパイプ部１２０に容易に着脱することができる。
【００４５】
図１に示すように、２つのベルト状部材５２、５４を、枠部１１０の上側において、交差するように巻いて、ベッド本体２２０側とは反対側（外側）に形成されたベルト着脱部に伸びているが、カバー部２０が側柵１００に対して短い場合、交差しないように巻いてもよい。
側柵１００の長さは同じメーカ（例えば、パラマウント社）でも、ベッドの型によって違いがあり、その結果、カバー部２０の長さは、マットレスパット（ベッド本体２２０の一部を構成）の厚みにより側柵１００より少し短くなったとしても、使用者の身体に直接、側柵１００に触れることを防止することができる。
【００４６】
枠部１１０は、パイプ部１２０に対して、半径方向に伸びているので、枠部１１０をＵの字状に巻いた２つのベルト状部材５２、５４は、カバー部２０がパイプ部１２０の周りを回転することを阻止する。
【００４７】
（保護部材付きベッド）
図４に示すように、保護部材付きベッド３００は、ベッド２００と、複数の保護部材１０と、を備える。
各保護部材１０の保護部３０がベッド２００の内側に向くように、複数の保護部材１０が、それぞれ、複数のパイプ部１２０に取り付けられている。
【００４８】
保護部材１０がない状態では、ベッド２００の上下動する可動側柵１００はマットレス（ベッド本体２２０）と同じ高さまで下げることができるが、保護部材１０を装着した上下動する可動側柵１００を可動側柵１００の上からいくら押さえつけても、カバー部２０を構成する布の厚みにより、可動側柵１００をマットレス（ベッド本体２２０）と同じ高さまで下げることが難しい。しかし、可動側柵１００がマットレス（ベッド本体２２０）と同じ高さまで下がらなくても、看護師や家族が使用者のケアー（お世話）を全く支障なくすることができる。さらに、仮に、使用者の身体の一部（手や足）が側柵１００のパイプ部１２０の間から出ていたことに気づかずに、側柵１００を下まで下げたとしても、側柵１００の横の部分とマットレス（ベッド本体２２０）との間に挟まるおそれは殆どない。
【００４９】
以上の説明から明らかなように、保護部材１０は、複数のパイプ部１２０のいずれかのパイプ部１２０の周面部を覆うように、いずれかのパイプ部１２０に着脱自在に装着するカバー部２０と、使用者が接触したときに使用者の体を保護するように、カバー部２０に設けられた保護部３０とを備える。このため、ベッド本体２２０で寝返りをしたり転倒したりした使用者の体は、ベッド本体２２０上で勢いよくパイプ部１２０に強く接触しようとしても、使用者の体とパイプ部１２０との間に保護部材１０ひいては保護部３０があるので、使用者が、例えば、打撲のような怪我をすることを抑止することができる。
【００５０】
また、複数の保護部材１０は、それぞれ、複数のパイプ部１２０に取り付けられているが、保護部材１０は、隣接する２つのパイプ部１２０の間の隙間を殆ど埋めない。このため、その隙間からベッド本体２２０に横たわる使用者の状態を容易に視認することができる。
【００５１】
以上、本考案について好適な実施するための形態を挙げて説明したが、本考案は、これらの実施するための形態に限定されるものではなく、本考案の要旨を逸脱しない範囲において、種々の改良及び設計の変更が可能である。
例えば、保護部３０は、シート部材２２のうち、ベッド本体２２０に横たわっている使用者（例えば、乳幼児）が触れることができると想定される範囲の表布地２２ａと裏布地２２ｂとの間に設けられることが好ましいとして説明したが、保護部３０は、シート部材２２のパイプ部１２０側に設けられていてもよく（保護部３０がカバー部２０とパイプ部１２０の表面との間に配置されている）、また、パイプ部１２０とは反対側に設けられていてもよい。
【符号の説明】
【００５２】
１０  保護部材
２０  カバー部
２２  シート部材
２４  ファスナ部
３０  保護部
５０  回転防止部
５２、５４  ベルト部
１００  側柵
１１０  枠部
１２０  パイプ部
２００  ベッド
２２０  ベッド本体
３００  保護部材付きベッド
【図１】
0003209997.tif 000003
【図２】
0003209997.tif 000004
【図３】
0003209997.tif 000005
【図４】
0003209997.tif 000006